(57)【要約】【課題】ヘッド形状や重心の位置などの設計上の自由度が高く、しかも強度の高いアイアン型ゴルフクラブヘッドを提供する。【解決手段】ホゼル部３にホゼル部埋設体７が配置され、ソール部６にソール部埋設体８が配置され、フェース部２の上部にトップ部埋設体９が配置されている。また、本体部２とホゼル部３とをつなぐシャンク部（ネック部）には、ホゼル部埋設体７とソール部埋設体８とを連結する連結用埋設体１０が配置されている。これらの埋設体７〜１０を合成樹脂層１１が被包している。ホゼル部埋設体７及び連結用埋設体１０は好ましくは金属よりなる。【選択図】図３
2012147950.tif 000002
【特許請求の範囲】
【請求項１】
補強用又は重量調節用の埋設体と、該埋設体を被包する合成樹脂層とで構成されているアイアン型ゴルフクラブヘッド。
【請求項２】
請求項１において、前記埋設体として、少なくとも、アイアン型ゴルフクラブヘッドのソール部に配置されたソール部埋設体と、ホゼル部に配置されたホゼル部埋設体とを備えてなり、該ホゼル部埋設体にホゼル穴が設けられていることを特徴とするアイアン型ゴルフクラブヘッド。
【請求項３】
請求項２において、該ソール部埋設体とホゼル部埋設体とが連結用埋設体を介して連結されていることを特徴とするアイアン型ゴルフクラブヘッド。
【請求項４】
請求項３において、該ソール部埋設体、ホゼル部埋設体及び連結体が金属製であることを特徴とするアイアン型ゴルフクラブヘッド。
【請求項５】
請求項１ないし４のいずれか１項において、埋設体としてさらにフェース部の上部に配置されたトップ部埋設体を備えたことを特徴とするアイアン型ゴルフクラブヘッド。
【請求項６】
請求項１ないし５のいずれか１項において、前記合成樹脂層の外面に金属メッキが施されていることを特徴とするアイアン型ゴルフクラブヘッド。
【発明の詳細な説明】
【技術分野】
【０００１】
本発明は、アイアン型ゴルフクラブヘッドに関するものである。
【背景技術】
【０００２】
ゴルフクラブとしては、ドライバー、フェアウェーウッドなどのウッド、フェアウェー、ラフ、バンカーなどからのショットや、ショートホール（パー３のホール）のティーショット等に主として用いられるアイアンのほか、これらに近似した形状のユーティリティ、さらにはパターなどが用いられている。
【０００３】
アイアンのヘッドとしては、ステンレススチール、炭素鋼、各種合金などでフェース部からホゼル部まで形成したものが広く用いられているが、特開２００３−３２５７１０の００１１段落及び図３には、フェース部を金属板にて構成し、それ以外の本体部を合成樹脂製とし、この合成樹脂製本体部のフェース面に金属製フェースプレートを嵌合したものが記載されている。
【先行技術文献】
【特許文献】
【０００４】
【特許文献１】特開２００３−３２５７１０
【発明の概要】
【発明が解決しようとする課題】
【０００５】
金属製のアイアンヘッドでは、ヘッド形状や重心の位置などの設計上の自由度が小さい。本体部を合成樹脂製とした特開２００３−３２５７１０のヘッドでは、強度が低く、実用化することは極めて困難であると考えられる。
【０００６】
本発明は、ヘッド形状や重心の位置などの設計上の自由度が高く、しかも強度の高いアイアン型ゴルフクラブヘッドを提供することを目的とする。
【課題を解決するための手段】
【０００７】
請求項１のアイアン型ゴルフクラブヘッドは、補強用又は重量調節用の埋設体と、該埋設体を被包する合成樹脂層とで構成されているものである。
【０００８】
請求項２のアイアン型ゴルフクラブヘッドは、請求項１において、前記埋設体として、少なくとも、アイアン型ゴルフクラブヘッドのソール部に配置されたソール部埋設体と、ホゼル部に配置されたホゼル部埋設体とを備えてなり、該ホゼル部埋設体にホゼル穴が設けられていることを特徴とするものである。
【０００９】
請求項３のアイアン型ゴルフクラブヘッドは、請求項２において、該ソール部埋設体とホゼル部埋設体とが連結用埋設体を介して連結されていることを特徴とするものである。
【００１０】
請求項４のアイアン型ゴルフクラブヘッドは、請求項３において、該ソール部埋設体、ホゼル部埋設体及び連結体が金属製であることを特徴とするものである。
【００１１】
請求項５のアイアン型ゴルフクラブヘッドは、請求項１ないし４のいずれか１項において、埋設体としてさらにフェース部の上部に配置されたトップ部埋設体を備えたことを特徴とするものである。
【００１２】
請求項６のアイアン型ゴルフクラブヘッドは、請求項１ないし５のいずれか１項において、前記合成樹脂層の外面に金属メッキが施されていることを特徴とするものである。
【発明の効果】
【００１３】
本発明のアイアン型ゴルフクラブヘッドは、補強用又は重量調節用の埋設体と、該埋設体を被包する合成樹脂層とを有しており、埋設体の形状、材料等を幅広く選ぶことができる。また、合成樹脂層は種々の形状のものを容易に形成することができる。このため、本発明のアイアン型ゴルフクラブヘッドは設計上の自由度が高い。
【００１４】
本発明では、補強用埋設体を用いることにより、アイアン型ゴルフクラブヘッドの強度を十分に高くすることもできる。例えば、ホゼル部にホゼル穴を有したホゼル部埋設体を配置することにより、ホゼル部の強度を高くすることができる。ソール部埋設体とホゼル部埋設体とを連結体で連結することにより、ソール部からホゼル部にかけての強度を高くすることができる。
【００１５】
フェース部の上部にトップ部埋設体を配置することにより、フェース部上部の補強やヘッドの慣性モーメントの調節等を行うことができる。また、ソール部埋設体として高比重材を用いることにより、アイアン型ゴルフクラブヘッドの重心を低くすることができる。
【図面の簡単な説明】
【００１６】
【図１】実施の形態に係るアイアン型ゴルフクラブヘッドの斜視図である。
【図２】図１のアイアン型ゴルフクラブヘッドの内部構成図である。
【図３】図１のIII−III線断面図である。
【図４】別の実施の形態に係るアイアン型ゴルフクラブヘッドの内部構成図である。
【図５】図４のアイアン型ゴルフクラブヘッドの断面図である。
【発明を実施するための形態】
【００１７】
図１〜３を参照して第１の実施の形態について説明する。
【００１８】
このアイアン型ゴルフクラブヘッド１は、ボールを打つための本体部２と、本体部２に連なるホゼル部３とを有している。ホゼル部３にはシャフトを差し込むためのホゼル穴４が設けられている。本体部２の前面がフェース面であり、多数のスコアライン（溝）５が設けられている。本体部２の下部は後方に膨出した形状のソール部６となっている。
【００１９】
このアイアン型ゴルフクラブヘッド１にあっては、ホゼル部３にホゼル部埋設体７が配置され、ソール部６にソール部埋設体８が配置され、フェース部２の上部にトップ部埋設体９が配置されている。ホゼル穴４はこのホゼル部埋設体７に設けられている。また、本体部２とホゼル部３とをつなぐシャンク部（ネック部）には、ホゼル部埋設体７とソール部埋設体８とを連結する連結用埋設体１０が配置されている。これらの埋設体７〜１０を合成樹脂層１１が被包している。合成樹脂層１１は、ホゼル部埋設体７のホゼル穴４の内周面を除くすべてのヘッド外面において埋設体７〜１０を被包している。
【００２０】
ホゼル部埋設体７及び連結用埋設体１０としてはマルエージング鋼、ステンレス鋼、炭素鋼、チタン、チタン合金、アルミニウム合金、マグネシウム合金などの金属よりなるものが好適である。ホゼル部埋設体７、ソール部埋設体８及び連結用埋設体１０がすべて金属製である場合、連結用埋設体１０をホゼル部埋設体７，８に対し溶接等により連結することが好ましい。連結用埋設体１０は、棒状又はパイプ状のものが好ましいが、板状であってもよい。
【００２１】
ソール部埋設体８としては、上記の金属のほか、タングステン、タングステン合金、銅、銅合金などの金属も用いることができる。また、セラミックスや、高比重合成樹脂なども用いることができる。高比重合成樹脂としては、タングステン、タングステン合金、銅、銅合金などの金属粉末を含んだ合成樹脂が例示される。
【００２２】
トップ部埋設体９としては、チタン、チタン合金、アルミニウム、アルミニウム合金、マグネシウム、マグネシウム合金などの金属のほか、繊維強化樹脂や、セラミックなども用いることができる。
【００２３】
合成樹脂層１１を構成する合成樹脂としては、ＡＢＳ、ポリカーボネートなどが例示される。
【００２４】
この合成樹脂層１１の表面に金属メッキを施してもよい。金属メッキを施すことにより、合成樹脂層表面の耐候性、耐水性、耐薬品性、耐食性や耐摩耗性を高めることができる。金属メッキの金属としては、クロム、ニッケル、銅などが好適である。メッキの手法としては無電解メッキ、電気メッキなどを採用することができる。例えば、無電解ニッケルメッキを施した後、電気メッキによりニッケルメッキを施すことができる。金属メッキの付着性を高めるために、合成樹脂層の表面を粗面化してもよい。
【００２５】
このアイアン型ゴルフクラブヘッド１は、埋設体７〜１０と、該埋設体７〜１０を被包する合成樹脂層１１とを有しており、埋設体７〜１０の形状、材料等を幅広く選ぶことができる。また、合成樹脂層１１は種々の形状のものを射出成形により容易に形成することができる。このため、このヘッド１は設計上の自由度が高い。また、ホゼル部埋設体７及び連結用埋設体１０を用いることにより、ホゼル部３及びシャンク部の強度を十分に高くすることもできる。また、ソール部埋設体８として高比重材を用いることにより、ヘッド１の重心を低くすることができる。フェース部２の上部にトップ部埋設体９を配置しているので、フェース部２の上部の補強や、ヘッド１の慣性モーメントの調節等を行うことができる。
【００２６】
本発明のアイアン型ゴルフクラブヘッドは、埋設体７〜１０を金型内に配置しておき、合成樹脂を射出して合成樹脂層１１を形成し、その後、必要に応じメッキ処理することにより容易に製造することができる。このアイアン型ゴルフクラブヘッド１の製造は、鋳造や鍛造による従来のアイアンヘッドの製造に比べて容易である。
【００２７】
このアイアン型ゴルフクラブヘッド１のホゼル穴４にシャフトを差し込み、接着剤で固定することにより、アイアン型ゴルフクラブが構成される。
【００２８】
上記のアイアン型ゴルフクラブヘッド１では、トップ部埋設体９とソール部埋設体８とが若干離隔しているが、本発明では、図４，５に示す第２の実施の形態に係るアイアン型ゴルフクラブヘッド１Ａのように、トップ部埋設体９とソール部埋設体８とを接着剤等によって連結して一体化してもよい。この実施の形態では、ソール部埋設体８の上部フェース面側に凹段部が設けられ、トップ部埋設体９の下部が延長され、この凹段部に係合している。そして、ソール部埋設体８とトップ部埋設体９との前面が面一状となっている。
【００２９】
図示のアイアン型ゴルフクラブヘッド１，１Ａは、従来のアイアンヘッドと同一外観構成のものであるが、本発明はアイアンヘッドに近似した外観形状のアイアン型ユーティリティヘッドにも適用することができる。
【符号の説明】
【００３０】
１，１Ａ  アイアン型ゴルフクラブヘッド
２  本体部
３  ホゼル部
４  ホゼル穴
６  ソール部
７  ホゼル部埋設体
８  ソール部埋設体
９  トップ部埋設体
１０  連結用埋設体
１１  合成樹脂層
【図１】
2012147950.tif 000003
【図２】
2012147950.tif 000004
【図３】
2012147950.tif 000005
【図４】
2012147950.tif 000006
【図５】
2012147950.tif 000007